(57)【要約】      （修正有）【課題】非使用時には誤って落下させたことによる損傷などから確実に保護することができ、使用時には画面上での操作性を損なわず、スマートフォンが備えている美感が損なわれない携帯電話用保護カバーを提供する。【解決手段】スマートフォンＡの裏面側を保護する第１保護カバーＢと、スマートフォンＡの表面側を保護する第２保護カバーＣを組み合わせて装着する。第１保護カバーＢはスマートフォンＡの裏面側を覆って保護する裏面保護部とスマートフォンＡの外周部の左右側面に外接して着脱可能に係合する第１係合部２とを備えている。第２保護カバーＣはスマートフォンＡの表面側を覆って保護する表面保護部１１と第１保護カバーＢの第１係合部２の左右側面に外接して着脱可能に係合する第２係合部１２とを備えている。第２保護カバーＣは裏表反転させて装着すると、表面保護部１１が第１保護カバーＢの裏面側に重なって装着される。【選択図】図１
2020170023.tif 000002
【特許請求の範囲】
【請求項１】
携帯電話の裏面側を覆って保護するための裏面保護部と携帯電話の左右側面に外接して着脱可能に係合する第１係合部とを備えた第１保護カバーと、前記携帯電話の表面側を覆って保護するための表面保護部と前記第１保護カバーの第１係合部の左右側面に外接して着脱可能に係合する第２係合部とを備えた第２保護カバーとからなり、前記第２保護カバーを裏表反転させた状態では、前記表面保護部が前記第１保護カバーの裏面側を覆って重なりつつ、前記第２係合部が前記第１保護カバーの第１係合部の左右側面に外接して着脱可能に係合するようにしたことを特徴とする携帯電話用保護カバー。
【請求項２】
請求項１記載の携帯電話用保護カバーにおいて、前記第２保護カバーの第２係合部は、前記第１保護カバーの第１係合部の外面に沿ってスライドさせて着脱可能に係合するようにしたことを特徴とする携帯電話用保護カバー。
【請求項３】
請求項２記載の携帯電話用保護カバーにおいて、前記第１保護カバーの第１係合部の長手方向の一部に被係止部としての凹部が形成されていることを特徴とする携帯電話用保護カバー。
【請求項４】
請求項３記載の携帯電話用保護カバーにおいて、前記第１保護カバーの前記被係止部を構成する前記凹部はスライド方向に滑らかな曲面を形成していることを特徴とする携帯電話用保護カバー。
【請求項５】
請求項４記載の携帯電話用保護カバーにおいて、前記滑らかな曲面の端部にストッパとしての段差部が形成されていることを特徴とする携帯電話用保護カバー。
【請求項６】
請求項１記載の携帯電話用保護カバーにおいて、前記第２保護カバーの前記第２係合部は、可撓性を有する材料で形成されており、前記第２係合部の弾性または可撓性を利用して変形させることにより、前記携帯電話の表面側および裏面側の何れの方向からも前記第１保護カバーの前記第１係合部の外面に係合させて着脱できるようにしたことを特徴とする携帯電話用保護カバー。
【請求項７】
請求項６記載の携帯電話用保護カバーにおいて、前記第１保護カバーの前記第１係合部の外面の一部に被係止部としての凹部が形成されていることを特徴とする携帯電話用保護カバー。
【発明の詳細な説明】
【技術分野】
【０００１】
本発明は、スマートフォンなどの携帯電話用保護カバーに関するもので、携帯電話の裏面側の保護カバーと画面（スクリーン部）がある表面側の保護カバーを組み合わせて装着できるようにしたものである。
【背景技術】
【０００２】
携帯電話については、機能に加えフォルムの美しさなどからスマートフォンと呼ばれる携帯電話が広く普及している。
【０００３】
スマートフォンは美しいフォルムを有する反面、取り出す際に落として破損したり、傷ついたりすることも多く、そのため種々の保護カバーが開発され、通常は保護カバーを装着した状態で利用されている。
【０００４】
スマートフォンの裏面側の保護カバーとしては、スマホケースと呼ばれるポリカーボネート製、ＴＰＵ（熱可塑性ポリウレタン）製、シリコン製の保護カバーが一般的である。
【０００５】
ポリカーボネート製の保護カバーは、耐衝撃性が高く、軽くて薄い、加工しやすいなどのメリットがあるが、ＴＰＵ製、シリコン製の保護カバーのような可撓性がないため、スマートフォン本体に対する着脱がしにくいという課題がある。
【０００６】
ＴＰＵ製の保護カバーは、軽くて薄い、衝撃を吸収しやすい、可撓性があるためスマートフォンに対する着脱がスムーズであるなどのメリットがあるが、耐熱性や耐薬品性などの課題がある。
【０００７】
シリコン製の保護カバーも可撓性があるため、スマートフォンに対する着脱がスムーズであり、また耐候性に優れるなどのメリットがあるが、表面の摩擦でポケットやカバンから取り出しにくい、汚れやすい、重くなるなどの欠点がある。
【０００８】
また、耐衝撃性を備えつつ、スマートフォンへの装着が容易となるように、背面部分をポリカーボネートとし、外周部の装着部をＴＰＵ製としたものなどもある。
【０００９】
スマートフォンの画面（スクリーン部）がある表面側については、操作時の感度が損なわれないよう、アンチグレアのフィルムや強化ガラスを貼って保護することが一般的である。
【００１０】
しかしながら、フィルムは耐衝撃性の面で劣り、強化ガラスはフィルムに比べ厚くなり、また貼り直しが困難であるといった問題がある。
【００１１】
また、手帳型の厚手の保護カバーの場合、常時は閉じた状態でスマートフォンの裏面側および表面側を保護し、操作時に開いて使用することができる。その場合もスマートフォンの画面部分にはフィルムや強化ガラスが貼られることが多い。しかし、手帳型の保護カバーはかさばるため、気軽に持運びできるというスマートフォンの利点が損なわれることになる。また、スマートフォンを完全に覆ってしまう形態であるため、スマートフォンのせっかくの美しいフォルムが隠れてしまう。
【００１２】
このようなスマートフォンの保護ケースまたは保護カバーの先行技術としては、例えば以下の特許文献１〜特許文献４記載の発明がある。
【００１３】
特許文献１記載の携帯電子機器の保護カバーは、ディスプレイ、すなわちスマートフォンなどの表面側に装着して、ディスプレイの破損、損傷を防止することを目的としたもので、ディスプレイに貼着および剥離が可能な自己粘着性シートと、その自己粘着性シート上の全面に形成されたポッティング層とからなるものである。
【００１４】
ディスプレイを使用しないときには、保護カバー本体の裏面側の自己粘着性シートをディスプレイに貼着させることで、ディスプレイを保護するようにし、スマートフォンを誤って落としてしまった場合等にも、保護カバー本体の表面側のポッティング層が衝撃を緩和することでディスプレイの破損、損傷を防止するというものである。ディスプレイを使用するときには、ディスプレイから保護カバー本体の裏面側の自己粘着性シートを剥離することにより、ディスプレイを露出させることができる。
【００１５】
特許文献２記載のモバイル機器用の保護カバーは、スマートフォンなどの携帯用のモバイル機器の前面部を保護する保護カバーであって、前面部に外部から衝撃が加えられても安全に保護することができ、かつ保護カバーに表示画面の内容を確認するための透視部が形成されているため、カバーを開かなくてもモバイル機器の表示画面の内容を確認したりタッチ操作したりできるというものである。
【００１６】
特許文献３には、側面にレール溝が設けられた箱状のケースと、レール溝に両側面を嵌め込んだ状態で摺動する板状の蓋部材と、蓋部材を付勢するバネ部材と、バネ部材により付勢された状態の蓋部材を保持するストッパ部材とを備えた携帯型端末用ケースが開示されている。
【００１７】
この特許文献３記載の発明では、スマートフォンなどの携帯型端末を使用していない状態では、蓋部材を閉じておけばディスプレイが保護され、通話時その他の使用時においては、ストッパ部材を解除することで、バネ部材で付勢されている蓋部材が開くようになっており、簡単な操作で蓋部材の開閉が可能で使い勝手に富み、手帳型ケースの場合のように、蓋部材が通話の邪魔になることもないとされている。
【００１８】
特許文献４記載の携帯電子機器用プロテクタは、ラウンド状が含まれたスクリーン部の全体を効果的に保護できて、美観の毀損も防止できるスマートフォン用アクセサリとして、スクリーン部に付着されてスクリーン部の平面部分を保護し、透明の材質からなる平面保護部と、この平面保護部に結合してスクリーン部に付着され、スクリーン部のへり部分を保護するように四角の閉鎖輪状で形成されるへり保護部とを含むようにしたというものである。
【先行技術文献】
【特許文献】
【００１９】
【特許文献１】特開２０１４−０８２６８９号公報
【特許文献２】特開２０１４−０９３７７０号公報
【特許文献３】実用新案登録第３２１３３５４号公報
【特許文献４】特許第５９１３６９７号公報
【発明の概要】
【発明が解決しようとする課題】
【００２０】
特許文献１記載の保護カバーは、装着するたびにディスプレイ部分に自己粘着性シート部分を貼着し、また剥離する必要があるため、ディスプレイ部分が汚れたり、自己粘着性シートの付着性が落ちていくといった問題がある。
【００２１】
特許文献２記載の保護カバーは、保護カバーの透視部を通してスマートフォンなどのモバイル機器の表示画面の内容を確認したり、タッチ操作するというものであるが、保護カバーがかさばり、また保護カバーが操作の邪魔になり、スマートフォンの美感も損なわれるといった問題がある。
【００２２】
特許文献３記載の携帯型端末用ケースは、スマートフォンなどを箱状のケース内に収納して保護し、使用時にストッパ部材を解除して蓋部材を開くというものであるが、スマートフォンのフォルムの美しさが完全に打ち消されてしまい、操作性の面でも不便である。
【００２３】
特許文献４記載の発明は、スマートフォンの美感を損なわないプロテクタとして、曲線形状になじむようにしてものであるが、スクリーン部に付着される平面保護部は、実質的に従来のスクリーン部に貼着されるフィルムや強化ガラスと同様、貼り直しができないものであり、また装着状態においてもスマートフォンを落としたときに平面保護部に強い衝撃が加わると表示部の損傷が避けられない場合がある。
【００２４】
本発明は、上述のような従来技術における課題の解決を図ったものであり、ポケットやカバンに入れた状態の非使用時には誤って落下させたことによる損傷などから確実に保護することができ、使用時には逆向きに装着することで画面上での操作性を損なわず、かつスマートフォンなどの携帯電話自体が備えている美感を損なうことのない携帯電話用保護カバーを提供することを目的としたものである。
【課題を解決するための手段】
【００２５】
本発明の携帯電話用保護カバーは、携帯電話の裏面側を覆って保護するための裏面保護部と携帯電話の左右側面に外接して着脱可能に係合する第１係合部とを備えた第１保護カバーと、携帯電話の表面側を覆って保護するための表面保護部と第１保護カバーの第１係合部の左右側面に外接して着脱可能に係合する第２係合部とを備えた第２保護カバーとからなり、第２保護カバーを裏表反転させた状態では、表面保護部が第１保護カバーの裏面側を覆って重なりつつ、第２係合部が第１保護カバーの第１係合部の左右側面に外接して着脱可能に係合するようにしたことを特徴とするものである。
【００２６】
本発明で想定している携帯電話は、主としてスマートフォンであり、スマートフォン自体が有する美感を損なうことなく装着できるようにしたものである。ただし、スマートフォンに限定されるものではない。
【００２７】
第１保護カバーは携帯電話の裏面側を覆って携帯電話の本体を保護するものであり、基本的な形態は、従来からスマートフォン本体の裏面側の保護に用いられている比較的薄手の保護カバーと同様の形態とすることができ、材質についても従来、多用されているポリカーボネート製、ＴＰＵ製、シリコン製、あるいはこれらを組み合わせたものとすることができる。また、携帯電話の裏面側の保護という点においては、機能面でも従来から市販されているものと基本的には同じである。
【００２８】
第１保護カバーは携帯電話本体の少なくとも左右側面に外接するものであるが、左右側面に限らず、むしろ携帯電話本体の側面全周あるいはほぼ全周にわたって覆うものとすることもできる。携帯電話本体に対する着脱は、従来の本体保護用のカバーと同様に、材料の弾性または可撓性を利用して着脱したり、あるいはスライドさせて着脱するものとすることができる。
【００２９】
第２保護カバーは、携帯電話の表面側を覆って携帯電話のスクリーン部を保護するものであり、携帯電話を衣服のポケットやカバンに入れた状態の非使用時には、誤って落下させたことによるスクリーン部の損傷を防止することができ、使用時には表裏逆にひっくり返して、そのまま第１保護カバーの裏面側を覆うように、第１保護カバーの左右側面に外接させて装着することで、画面上での操作性を損なうことなく、スマートフォンなどの携帯電話を使用することができる。
【００３０】
なお、第２保護カバーの装着や取り外しの支障にならない厚さの薄いものであれば、従来、スクリーン部に貼着して用いられている保護用のフィルムや保護用の強化ガラスをスクリーン部に貼り付けた状態で、本発明の携帯電話用保護カバーの第２保護カバーがその上面を覆う形で併用することもできる。
【００３１】
第２保護カバーを第１保護カバーの第１係合部に装着する形態の一つとしては、例えば第２保護カバーの第２係合部を第１保護カバーの第１係合部の外面に沿ってスライドさせて着脱可能に係合するようにしたものが考えられる。
【００３２】
例えば、最近のスマートフォンでは本体の側面部分の断面を滑らかな円弧状として、美感を与えるようにしたものが多いが、その場合、第１保護カバーの側面もスマートフォン本体の曲面に合わせて外接する断面弧状の曲面形状とすることができ、さらにその外側に位置する第２保護カバーの第２係合部を第１保護カバーの側面に外接する断面弧状の曲面形状とすることで、第２保護カバーの第２係合部を第１保護カバーの第１係合部の外面に沿ってスライドさせて着脱することができる。
【００３３】
また、第１保護カバーの第１係合部の長手方向の一部に被係止部としての凹部を形成しておけば、スライドさせた第２保護カバーの第２係合部がその凹部に嵌り込んだ状態で係止させることができる。なお、第２保護カバーの第２係合部は第１保護カバーの第１係合部をスライドさせるときは、その弾性あるいは可撓性により内径がわずかに広がった状態でスライドし、凹部に係止される。ポリカーボネート製の場合、ＴＰＵ製、シリコン製に比べると変形しにくいが、もともと薄く成形されるため、スライド操作において大きな支障とはならない。
【００３４】
また、この第１保護カバーの被係止部としての凹部をスライド方向に滑らかな曲面となる湾曲断面とすれば、係止状態の解除もわずかな力を加えるだけで係止状態を解除することができる。その場合、この滑らかな曲面の端部にストッパとしての段差部を形成しておけば、係止状態で位置ずれしにくくすることができる。
【００３５】
第２保護カバーを第１保護カバーの第１係合部に装着する他の形態としては、第２保護カバーの第２係合部を弾性または可撓性を有する材料で形成し、第２係合部の弾性または可撓性を利用して表面保護部の面内方向に対して直交する方向に広げる形で変形させることにより、携帯電話の表面側および裏面側の何れの方向からも第１保護カバーの第１係合部の外面に係合させて着脱できるようにするようにしたものが考えられる。広げて着脱させる形態自体は、従来の裏面側に装着される市販の保護カバーの場合と同様である。
【００３６】
この場合も、第１保護カバーの第１係合部の外面の一部に被係止部としての凹部を形成しておくことで、係止状態での位置ずれが抑制される。
【発明の効果】
【００３７】
本発明の携帯電話用保護カバーは、スマートフォンなどの携帯電話の裏面側の第１保護カバーとスクリーン部がある表面側の第２保護カバーを組み合わせて装着できるようにしたものであり、衣服のポケットやカバンに入れた状態の非使用時には誤って落下させたことによる損傷などから確実に保護することができる。
【００３８】
携帯電話の使用時には、第２保護カバーを表裏ひっくり返して逆向きに装着することで、画面上での操作性が損なわれない。また、その際、第２保護カバーは第１保護カバーと重ねた状態にあるので、邪魔になったり、失くすといった心配がない。
【００３９】
第１保護カバーと第２保護カバーは、従来のスマートフォン用の保護カバーと同様の材質で携帯電話の外形に合わせて製造することができるため、スマートフォンなどの携帯電話自体が備えている美感を損なうことがない。また、第１保護カバーと第２保護カバーの表面に色彩や模様の装飾を施せば、意匠的な面での美感を向上させることができる。
【図面の簡単な説明】
【００４０】
【図１】本発明の一実施形態における第２保護カバーの脱着操作を概略的に示した斜視図である。
【図２】本発明における第１保護カバーの具体的な形態の一例を示した６面図であり、(a)は正面図、(b)は平面図、(c)は右側面図、(d)は左側面図、(e)は底面図、(f)は背面図である。
【図３】本発明における第２保護カバーの具体的な形態の一例を示した６面図であり、(a)は正面図、(b)は平面図、(c)は右側面図、(d)は左側面図、(e)は底面図、(f)は背面図である。である。
【図４】携帯電話としてのスマートフォンに、図２の第１保護カバーおよび図３の第２保護カバーを装着した場合の、第１保護カバーと第２保護カバーの位置関係を説明するための図であり、(a)はスマートフォンの厚さ方向の中間における断面図、(b)は(a)の部分拡大図、(c)は前面カバー時におけるＹ−Ｙ´断面図、(d)は前面オープン時におけるＹ−Ｙ´断面図、(e)は前面カバー時におけるＺ−Ｚ´断面図、(f)は前面オープン時におけるＺ−Ｚ´断面図である。
【発明を実施するための形態】
【００４１】
以下、本発明を添付した図面に基づいて説明する。
【００４２】
図１は、本発明の一実施形態における第２保護カバーの脱着操作を概略的に示した斜視図である。図中、符号Ａは携帯電話としてのスマートフォン、符号Ｂはポリカーボネートなどで成型された第１保護カバー、符号Ｃはポリカーボネートなどで成型された第２保護カバーを示している。
【００４３】
スマートフォンＡは例えばアップル社などから販売されている市販のスマートフォンであり、角部がアール形状の略長方形薄型の本体部の外周面は厚さ方向と直角な断面が弧状に張り出した形状となっている。本体部の表面側にはスクリーン部２１が形成されている。
【００４４】
第１保護カバーＢはスマートフォンＡの裏面側を覆って保護するための裏面保護部１（図１では裏面側に位置する裏面保護部１はあらわれていない）とスマートフォンＡの外周部の左右側面に外接して着脱可能に係合する第１係合部２とを備えている。第１係合部２は内面側がスマートフォンＡの外周部の曲率に合わせた湾曲面を形成し、外周面も湾曲面を形成している。
【００４５】
第２保護カバーＣはスマートフォンＡの表面側を覆って保護するための表面保護部１１と第１保護カバーＢの第１係合部２の左右側面に外接して着脱可能に係合する第２係合部１２とを備えている。第２係合部１２は内面側が第１保護カバーＢの第１係合部２の外周部の曲率に合わせた湾曲面を形成し、外周面も湾曲面を形成している。
【００４６】
この第２保護カバーＣは裏表反転させた状態では、表面保護部１１が第１保護カバーＢの裏面側を覆って重なりつつ、第２係合部１２が第１保護カバーＢの第１係合部２の左右側面に外接して着脱可能に係合するようになっている。
【００４７】
第２保護カバーの脱着操作は、図１に示した(1)〜(4)の手順で行うことができる。
(1) スマートフォンＡの裏面側に第１保護カバーＢを、表面側に第２保護カバーＣを装着した状態から、第２保護カバーＣを手前に引き出す。すなわち、第２保護カバーＣの第２係合部１２を、第１保護カバーＢの第１係合部２の外面に沿ってスライドさせて、第２保護カバーＣを手前に引き出す。
【００４８】
(2) 第２保護カバーＣを一旦、完全に取り外す。
(3) 取り外した第２保護カバーＣを上下が逆になるようにひっくり返す。
(4) 上下逆にした第２保護カバーＣの第２係合部１２を第１保護カバーＢの第１係合部２の左右側面に外接させる形で差し込んで、第１保護カバーＢの裏面側に装着する。
【００４９】
図２および図３はそれぞれ本発明における第１保護カバーＢ、第２保護カバーＣの具体的な形態の一例を６面図として示したものであり、図４はこれらをスマートフォンＡに装着した場合の、第１保護カバーＢと第２保護カバーＣの位置関係を示したものである。
【００５０】
図２に示した第１保護カバーＢはポリカーボネート製のものを想定しているが、ＴＰＵ製やシリコン製でもよい。
【００５１】
第１保護カバーＢの裏面保護部１には背面カメラ用の穴などが形成されている。裏面保護部１からはスマートフォンＡの左右側面に外接する形で係合される第１係合部２が立ち上っており、図４(c)〜(f)に示すようにスマートフォンＡの外周部のアール形状に合わせた断面形状となっている。なお、この例では左右側面に位置する第１係合部２は上側側面部において連続しており、スマートフォンＡの操作ボタン位置にも穴が形成されている。
【００５２】
また、第１係合部２の中央部には滑らかな円弧を描く被係止部３としての凹部が形成され、被係止部３の両端にわずかな段差を与える段差部４が形成されている。
【００５３】
図３に示した第２保護カバーＣもこの例ではポリカーボネート製のものを想定しているが、ＴＰＵ製やシリコン製でもよい。
【００５４】
第２保護カバーＣは表面保護部１１の左右に、第１保護カバーＢの第１係合部２の左右側面に外接する形で係合される第２係合部２が立ち上っており、図４(c)、(d)に示すように第１保護カバーＢの第１係合部２の外周部のアール形状に合わせた断面形状となっている。
【００５５】
第２保護カバーＣの左右の第２係合部２は、上述した第１保護カバーＢの被係止部３の長さに相当する長さを有し、長さ方向の中央部が厚く、両端部が薄くなっている。係合時には、図４(a)、(b)に示されるように、第２保護カバーＣの左右の第２係合部２が第１保護カバーＢの被係止部３に嵌り込み、段差部４があることで不用意にずれないようになっている。
【００５６】
図４(c)、(d)は、それぞれ図４(a)のＹ−Ｙ´断面における前面カバー時（非使用時にスマートフォンＡを衣服のポケットやカバンに入れた状態の時など）と前面オープン時（スマートフォンＡの使用時など）の状態を断面図として示したものである。
【００５７】
前面カバー時には、第２保護カバーＣの表面保護部１１がスマートフォンＡのスクリーン部を覆って保護し、スマートフォンＡを使用する前面オープン時には、第２保護カバーＣを表裏ひっくり返して逆向きに装着し、スクリーン部上で直接操作できるようにする。第２保護カバーＣの表面保護部１１は第１保護カバーＢの裏面保護部１の裏面側に重なった状態となる。
【００５８】
図４(e)、(f)は、同様に、それぞれ図４(a)のＺ−Ｚ´断面における前面カバー時と前面オープン時の状態を断面図として示したものである。
【００５９】
このように、スマートフォンＡを衣服のポケットやカバンに入れた状態の非使用時には、誤って落下させたことによる損傷などから確実に保護することができ、スマートフォンＡの使用時には、第２保護カバーＣを表裏ひっくり返して逆向きに装着することで、スクリーン部上での操作性が損なわれない。また、その際、第２保護カバーＣは第１保護カバーＢと重ねた状態にあるので、邪魔になったり、失くすといった心配がない。
【符号の説明】
【００６０】
Ａ…スマートフォン、Ｂ…第１保護カバー、Ｃ…第２保護カバー、
１…裏面保護部、２…第１係合部、３…被係止部（凹部）、４…段差部、
１１…表面保護部、１２…第２係合部、
２１…スクリーン部
【図１】
2020170023.tif 000003
【図２】
2020170023.tif 000004
【図３】
2020170023.tif 000005
【図４】
2020170023.tif 000006
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
携帯電話の裏面側を覆って保護するための裏面保護部と携帯電話の左右側面に外接して着脱可能に係合する第１係合部とを備えた第１保護カバーと、前記携帯電話の表面側を覆って保護するための表面保護部と前記第１保護カバーの第１係合部の左右側面に外接して着脱可能に係合する第２係合部とを備えた第２保護カバーとからなり、前記第２保護カバーを裏表反転させた状態では、前記表面保護部が前記第１保護カバーの裏面側を覆って重なりつつ、前記第２係合部が前記第１保護カバーの第１係合部の左右側面に外接して着脱可能に係合するようにした携帯電話用保護カバーであって、前記第２保護カバーの第２係合部は、前記第１保護カバーの第１係合部の外面に沿ってスライドさせて係合するようになっており、前記第１保護カバーの第１係合部の長手方向の一部に被係止部としてのスライド方向に滑らかな曲面をなす凹部が形成されていることを特徴とする携帯電話用保護カバー。
【請求項２】
請求項１記載の携帯電話用保護カバーにおいて、前記滑らかな曲面の端部にストッパとしての段差部が形成されていることを特徴とする携帯電話用保護カバー。
【手続補正２】
【補正対象書類名】明細書
【補正対象項目名】００２５
【補正方法】変更
【補正の内容】
【００２５】
本発明の携帯電話用保護カバーは、携帯電話の裏面側を覆って保護するための裏面保護部と携帯電話の左右側面に外接して着脱可能に係合する第１係合部とを備えた第１保護カバーと、携帯電話の表面側を覆って保護するための表面保護部と第１保護カバーの第１係合部の左右側面に外接して着脱可能に係合する第２係合部とを備えた第２保護カバーとからなり、第２保護カバーを裏表反転させた状態では、表面保護部が第１保護カバーの裏面側を覆って重なりつつ、第２係合部が第１保護カバーの第１係合部の左右側面に外接して着脱可能に係合するようにした携帯電話用保護カバーであって、第２保護カバーの第２係合部は、第１保護カバーの第１係合部の外面に沿ってスライドさせて係合するようになっており、第１保護カバーの第１係合部の長手方向の一部に被係止部としてのスライド方向に滑らかな曲面をなす凹部が形成されていることを特徴とするものである。
【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】変更
【補正の内容】
【００３２】
最近のスマートフォンでは本体の側面部分の断面を滑らかな円弧状として、美感を与えるようにしたものが多いが、その場合、第１保護カバーの側面もスマートフォン本体の曲面に合わせて外接する断面弧状の曲面形状とすることができ、さらにその外側に位置する第２保護カバーの第２係合部を第１保護カバーの側面に外接する断面弧状の曲面形状とすることで、第２保護カバーの第２係合部を第１保護カバーの第１係合部の外面に沿ってスライドさせて着脱することができる。
【手続補正５】
【補正対象書類名】明細書
【補正対象項目名】００３５
【補正方法】削除
【補正の内容】
【手続補正６】
【補正対象書類名】明細書
【補正対象項目名】００３６
【補正方法】削除
【補正の内容】